(57)【要約】【課題】  降りるべき階に基づいて乗りかご内における各乗客の位置に秩序を持たせることができ、このことによって、乗りかご内に多数の乗客が乗った場合であっても、円滑に乗客がエレベータの乗りかごから降りることができるエレベータの乗りかごの提供。【解決手段】  エレベータの乗りかごは、複数の乗客案内領域５ａ、５ｂ、５ｃ、５ｄに区分された床面３を有する。これらの乗客案内領域５ａ、５ｂ、５ｃ、５ｄの区分は乗客２がこのエレベータの乗りかご１から降りるべき階に応じて行われる。更に、この床面３の各乗客案内領域５ａ、５ｂ、５ｃ、５ｄに関する表示４ａを示す表示手段４を備えている。【選択図】  図１
2005272127.tif 000002
【特許請求の範囲】
【請求項１】
エレベータの乗りかごにおいて、
乗客がこのエレベータの乗りかごから降りるべき階に応じて複数の乗客案内領域に区分された床面と、
この床面の各乗客案内領域に関する表示を示す表示手段とを備えたことを特徴とするエレベータの乗りかご。
【請求項２】
前記表示手段は、当該各乗客案内領域に対応する前記乗りかごの床面に設けられていることを特徴とする請求項１に記載のエレベータの乗りかご。
【請求項３】
前記表示手段は、当該各乗客案内領域に対応する前記乗りかごの側面に設けられていることを特徴とする請求項１に記載のエレベータの乗りかご。
【請求項４】
前記表示手段は、その表示が変更自在となっていることを特徴とする請求項１乃至３に記載のエレベータの乗りかご。
【請求項５】
前記表示手段は、それぞれ異なる種類の色によって表示を示すことを特徴とする請求項１乃至４に記載のエレベータの乗りかご。
【請求項６】
前記表示手段は、前記エレベータの乗りかご内に設置された操作盤の押しボタンの色の種類と略同一色によって表示を示すことを特徴とする請求項５に記載のエレベータの乗りかご。
【請求項７】
前記エレベータの乗りかご内に設置され、このエレベータの乗りかご内部の状況を撮影する乗りかご内部撮影装置と、
前記エレベータの乗りかご内に設置され、この乗りかご内部撮影装置により撮影された映像を映すモニタとを更に備えたことを特徴とする請求項１乃至６に記載のエレベータの乗りかご。
【発明の詳細な説明】
【技術分野】
【０００１】
本発明は、エレベータの乗りかごに関し、特に、円滑に乗客がエレベータから降りることができるエレベータの乗りかごに関する。
【背景技術】
【０００２】
図１８は、従来のエレベータの乗りかご１内の構成を上方から見た説明図である。
従来より、エレベータの乗りかご１内においては、降りるべき階が異なる乗客２が当該乗りかご１内に無秩序に混在している。
【０００３】
この乗りかご１内の乗降する乗客２の流れを円滑にするために、例えば特許文献１に記載されたエレベータの乗降誘導装置が知られている。
【０００４】
【特許文献１】特開２０００−２５５９２５号公報
【０００５】
一方、図１８に示すように、エレベータの乗りかご１内に多数の乗客２が乗った場合、乗りかご１の出入口１０とは反対側の奧側に乗り込んだ乗客２が乗りかご１から例えば図１８の矢印に示される経路に沿って降りようとしたときに、乗りかご１の出入口１０付近の乗客２が障害となり円滑に乗りかご１の出入口１０に移動することができないという問題がある。
【発明の開示】
【発明が解決しようとする課題】
【０００６】
本発明はこのような点を考慮してなされたものであり、降りるべき階に基づいて乗りかご内における各乗客の位置に秩序を持たせることができ、このことによって乗りかご内に多数の乗客が乗った場合であっても、円滑に乗客がエレベータの乗りかごから降りることができるエレベータの乗りかごを提供することである。
【課題を解決するための手段】
【０００７】
本発明は、エレベータの乗りかごにおいて、乗客がこのエレベータの乗りかごから降りるべき階に応じて複数の乗客案内領域に区分された床面と、この床面の各乗客案内領域に関する表示を示す表示手段とを備えたことを特徴とするエレベータの乗りかごである。
【０００８】
このようなエレベータの乗りかごにおいては、前記表示手段は、当該各乗客案内領域に対応する前記乗りかごの床面に設けられていることが好ましい。
【０００９】
このようなエレベータの乗りかごにおいては、前記表示手段は、当該各乗客案内領域に対応する前記乗りかごの側面に設けられていることが好ましい。
【００１０】
このようなエレベータの乗りかごにおいては、前記表示手段は、その表示が変更自在となっていることが好ましい。
【００１１】
このようなエレベータの乗りかごにおいては、前記表示手段は、それぞれ異なる種類の色によって表示を示すことが好ましい。
【００１２】
このようなエレベータの乗りかごにおいては、前記表示手段は、前記エレベータの乗りかご内に設置された操作盤の押しボタンの色の種類と略同一色によって表示を示すことが好ましい。
【００１３】
このようなエレベータの乗りかごにおいては、前記エレベータの乗りかご内に設置され、このエレベータの乗りかご内部の状況を撮影する乗りかご内部撮影装置と、前記エレベータの乗りかご内に設置され、この乗りかご内部撮影装置により撮影された映像を映すモニタとを更に備えたことが好ましい。
【発明の効果】
【００１４】
本発明によれば、エレベータの乗りかごが、降りるべき階に応じて複数の乗客案内領域に区分された床面と、この床面の各乗客案内領域に関する表示を示す表示手段とを備えているので、降りるべき階に基づいて乗りかご内における各乗客の位置に秩序を持たせることができる。このため、乗りかご内に多数の乗客が乗った場合であっても、円滑に乗客がエレベータの乗りかごから降りることができる。
【発明を実施するための最良の形態】
【００１５】
以下、図１乃至１７を用いて、本発明の実施の形態について説明する。
図１は、本発明の実施の形態のエレベータの乗りかご１が主として昇り専用となる場合のこの乗りかご１の構成を上方から見た説明図であり、図２は、本発明の実施の形態のエレベータの乗りかご１が主として下り専用となる場合のこの乗りかご１の構成を上方から見た説明図である。
【００１６】
本実施の形態のエレベータの乗りかご１は、図１および図２に示すように、乗客２がこのエレベータの乗りかご１から降りるべき階に応じて複数の乗客案内領域５ａ、５ｂ、５ｃ、５ｄに区分された床面３と、この床面３の各乗客案内領域５ａ、５ｂ、５ｃ、５ｄに関する表示４ａを示す表示手段４とを備えている。
前述のように、図１に示すエレベータの乗りかご１は、主として昇り専用となっており、図２に示すエレベータの乗りかご１は、主として下り専用となっている。
【００１７】
乗りかご１の床面３は、例えば床仕上げ材あるいはマットよりなり、例えば図１および図２に示すように、当該乗りかご１の出入口１０付近の領域と奧側の領域とに区分されている。床面３は、さらに前記のそれぞれの領域が出入口１０から見て右方の領域と左方の領域との区分されることによって、４つの乗客案内領域５ａ、５ｂ、５ｃ、５ｄに区分されている。
【００１８】
ここで、例えば図１に示す主として昇り専用のエレベータの乗りかご１において、当該乗りかご１の出入口１０付近の乗客案内領域５ａ、５ｂは、多くの乗客２が乗り込む１階から近い階で降りる予定の乗客２が案内される領域となっており、一方、乗りかご１の奥側の乗客案内領域５ｃ、５ｄは、１階から離れた階で降りる予定の乗客２が案内される領域となっている。
【００１９】
具体的には、例えばエレベータの乗りかご１が停止する階が１乃至２０階であったときにおいて、図１に示すように、出入口１０付近の左方の乗客案内領域５ａは、多くの乗客２が乗り込む１階から近い２乃至５階で降りるべき乗客２が案内される領域となっており、出入口１０付近の右方の乗客案内領域５ｂは、次に１階から近い６乃至１０階で降りるべき乗客２が案内される領域となっており、奧側の左方の乗客案内領域５ｃは、１階から離れた１１乃至１５階で降りるべき乗客２が案内される領域となっており、奧側の右方の乗客案内領域５ｄは、１階から最も遠い１６乃至２０階で降りるべき乗客２が案内される領域となっている。
【００２０】
一方、乗りかご１が主として下り専用のものであるときは、図２に示すように、乗客案内領域５ｂは、最上階である２０階から近い１６乃至１９階で降りるべき乗客２が案内される領域となっており、乗客案内領域５ａは、次に２０階に近い１１乃至１５階で降りるべき乗客２が案内される領域となっており、乗客案内領域５ｄは、２０階から離れた６乃至１０階で降りるべき乗客２が案内される領域となっており、乗客案内領域５ｃは、２０階から最も離れた１乃至５階で降りるべき乗客２が案内される領域となっている。
【００２１】
表示手段４は、図１および図２に示すように、当該各乗客案内領域５ａ、５ｂ、５ｃ、５ｄに対応する乗りかご１の床面３に設けられている。
この表示手段４においては、例えば床面３の床仕上げ材あるいはマットに数字をペンキ等で描画した場合、このペンキの描画手段が表示手段４となり、その数字自体が表示４ａとなる。
【００２２】
次に、このような構成からなる本実施の形態の作用について説明する。
エレベータの乗りかご１に乗った乗客２は、床面３の各乗客案内領域５ａ、５ｂ、５ｃ、５ｄに関する表示手段４による表示４ａを視認することにより、どの乗客案内領域５ａ、５ｂ、５ｃ、５ｄに移動すればよいかを認識することができ、この乗りかご１から降りるべき階に応じた乗客案内領域５ａ、５ｂ、５ｃ、５ｄに移動する。
【００２３】
具体的には、図１に示す主として昇り専用のエレベータの乗りかご１において、乗客２が１階でこの乗りかご１に乗ったときに、この乗客２が１階から近い階で降りる予定であるときは当該乗りかご１の出入口１０付近の乗客案内領域５ａ、５ｂまで移動し、１階から離れた階で降りる予定であるときは当該乗りかご１の奥側の乗客案内領域５ｃ、５ｄまで移動する。
【００２４】
そして、このことによって乗りかご１に乗った各乗客２が当該乗りかご１から降りる際には、この乗りかご１の出入口１０付近の乗客２から順に降りることができるようになる。
【００２５】
このように、乗りかご１内において乗客２が降りるべき階に応じた乗客案内領域５ａ、５ｂ、５ｃ、５ｄまで乗客２を誘導し、乗客２が降りるべき階に基づいて乗りかご１内において各乗客２が秩序よく待機する。その後、乗りかご１の出入口１０付近の乗客２から順に乗りかご１から降りることができるので、乗りかご１内に多くの乗客２が乗った場合であっても、円滑に乗客２がエレベータの乗りかご１から降りることができる。
【００２６】
また、表示手段４は、当該各乗客案内領域５ａ、５ｂ、５ｃ、５ｄに対応する乗りかご１の床面３に設けられているので、乗りかご１に乗った乗客２は床面３を見ることによってどの乗客案内領域５ａ、５ｂ、５ｃ、５ｄに移動すればよいかを容易に認識することができる。
【００２７】
次に、本実施の形態の変形例について図３に説明する。
図３は、表示手段４が乗りかご１の側面６に設けられたエレベータの乗りかご１の構成を示す斜視図である。
【００２８】
図３に示すように、表示手段４は、乗りかご１の床面３ではなく側面６に設けられているものであってもよい。
【００２９】
この乗りかご１の側面６は、例えば複数に区分された側板あるいはマットよりなり、各乗客案内領域５ａ、５ｂ、５ｃ、５ｄに対応する各側面６に、この各乗客案内領域５ａ、５ｂ、５ｃ、５ｄに関する表示４ａを示す表示手段４が設けられている。
【００３０】
このことによって、乗りかご１に乗った乗客２は乗りかご１内部の側面６を見ることによりどの乗客案内領域５ａ、５ｂ、５ｃ、５ｄに移動すればよいかを容易に認識することができる。
【００３１】
また、表示手段４は、図４および図５に示すように、その表示４ａが変更自在となっているものであってもよい。
図４（ａ）は、乗りかご１の床面３に設置され表示４ａが変更自在である表示手段４を有し、表示４ａが変更前の状態であるエレベータの乗りかご１の構成を上方から見た説明図であり、図４（ｂ）は、図４（ａ）の乗りかご１の表示４ａが変更後の状態であるエレベータの乗りかご１の構成を上方から見た説明図である。図５（ａ）は、乗りかご１の側面６に設置され表示４ａが変更自在である表示手段４を有し、表示４ａが変更前の状態であるエレベータの乗りかご１の構成を側方から見た説明図であり、図５（ｂ）は、図５（ａ）の乗りかご１の表示４ａが変更後の状態であるエレベータの乗りかご１の構成を側方から見た説明図である。
【００３２】
表示４ａが変更自在となっている表示手段４を用いることにより、エレベータの乗りかご１が上方に昇る場合と下方に降りる場合の双方において、表示手段４はその表示４ａを変更することができ、乗りかご１を昇降兼用に使用することができる。
【００３３】
また、表示４ａが変更自在となっている表示手段４を用いることにより、エレベータの乗りかご１の稼働する時間帯や季節、エレベータが設置されるビルのテナントの入居の有無などのエレベータの乗りかご１の使用環境の変化によって各乗客案内領域５ａ、５ｂ、５ｃ、５ｄにおける乗客２が降りるべき階を変更することを可能とし、この変更に応じて表示手段４により表示４ａを変更することができる。
【００３４】
図４（ａ）または図５（ａ）に示すように、変更前の状態において、乗客案内領域５ａが２乃至５階で降りるべき乗客２が案内される領域となり、乗客案内領域５ｂが６乃至１０階で降りるべき乗客２が案内される領域となり、乗客案内領域５ｃが１１乃至１５階で降りるべき乗客２が案内される領域となり、乗客案内領域５ｄが１６乃至２０階で降りるべき乗客２が案内される領域となっている。この場合、例えばビルのテナントの入居状態が変化したことによって１６乃至２０階で乗降する乗客２の数が増加したときには、図４（ｂ）または図５（ｂ）に示すように、乗客案内領域５ｂが６乃至１５階で降りるべき乗客が案内される領域となり、乗客案内領域５ｃおよび５ｄが１６乃至２０階で降りるべき乗客が案内される領域となるよう変更される。
【００３５】
これに合わせて表示手段４は、例えば床面３の床仕上げ材または側面６の側板を取り替えることにより、あるいは床面３または側面６に設置されたマットを取り替えることにより、表示４ａを変更する。
【００３６】
また、表示４ａが変更自在となっている表示手段４としては、図６乃至図９に示すような、数値を表示する装置であるインジケータ１１を用いることもできる。
図６は、乗りかご１の床面３に設置されインジケータ１１からなる表示手段４を有する乗りかご１の構成を上方から見た説明図であり、図７（ａ）は、表示４ａが変更前の状態である図６の乗りかご１の構成を上方から見た説明図であり、図７（ｂ）は、表示４ａが変更後の状態である図６の乗りかご１の構成を上方から見た説明図である。また、図８は、乗りかご１の側面６に設置されインジケータ１１からなる表示手段４を有する乗りかご１の構成を側方から見た説明図であり、図９（ａ）は、表示４ａが変更前の状態である図８の乗りかご１の構成を側方から見た説明図であり、図９（ｂ）は、表示４ａが変更後の状態である図８の乗りかご１の構成を側方から見た説明図である。
【００３７】
また、表示手段４は、図１０乃至図１３に示すような発光装置１２からなるものであってもよい。
図１０は、乗りかご１の床面３に設置され発光装置１２からなる表示手段４を有する乗りかご１の構成を上方から見た説明図であり、図１１は、図１０のＸ−Ｘ矢視図であり、図１２は、乗りかご１の側面６に設置され発光装置１２からなる表示手段４を有する乗りかご１の構成を側方から見た説明図であり、図１３は、図１２のＹ−Ｙ矢視図である。
【００３８】
図１０乃至図１３に示すように、この発光装置１２は、床面３または側面６に設けられた発光源１２ａとこの発光源１２ａを覆うよう保護する透過性部材１２ｂとを有する。
発光源１２ａは、例えば電源、ＬＥＤあるいは有機ＥＬを有している。
この発光装置１２においては、発光源１２ａにより表示４ａが示され、この発光源１２ａからの光が透過性部材１２ｂを透過することによって乗客２は表示４ａを認識することができる。
【００３９】
上記のインジケータ１１または発光装置１２からなる表示手段４としては、エレベータの乗りかご１が昇る場合、および降りる場合の双方において、表示手段４による表示４ａの内容が予め記憶されているものを用いることが好ましい。これにより、乗りかご１の使用環境が変化したときに、表示手段４は自動的に床面３の各乗客案内領域５ａ、５ｂ、５ｃ、５ｄの変更に対応して表示４ａを変更することができる。
【００４０】
また、表示手段４は、それぞれ異なる種類の色によって表示４ａを示すものであってもよい。
【００４１】
このことによって、乗りかご１に乗った乗客２は表示手段４における表示４ａの色を視認することによりどの乗客案内領域５ａ、５ｂ、５ｃ、５ｄに移動すればよいかを容易に認識することができる。
【００４２】
さらに、図１４（ａ）（ｂ）に示すように、乗りかご１内に、乗客２がこの乗りかご１から降りるべき階を選択するための押しボタン７ａを有する操作盤７が設置されている。表示手段４は、この操作盤７の押しボタン７ａの色の種類と略同一色によって表示４ａを示すことが好ましい。
ここで、図１４（ａ）は、操作盤７が設置されたエレベータの乗りかご１の構成を上方から見た説明図であり、図１４（ｂ）は、図１４（ａ）の操作盤７の詳細を示す正面図である。
【００４３】
このことによって、乗りかご１に乗った乗客２は操作盤７の押しボタン７ａの色を視認することによりどの乗客案内領域５ａ、５ｂ、５ｃ、５ｄに移動すればよいかを容易に認識することができる。
【００４４】
また、図１５および図１６に示すように、エレベータの乗りかご１内に、乗りかご１内部の状況を撮影する乗りかご内部撮影装置８と、この乗りかご内部撮影装置８により撮影された映像を映すモニタ９とを設置してもよい。
図１５は、乗りかご内部撮影装置８およびモニタ９が設けられたエレベータの乗りかご１の側断面図であり、図１６は、図１５のモニタ９に映されるモニタ映像を示す説明図である。
【００４５】
乗りかご内部撮影装置８は例えばビデオカメラからなり、図１５に示すように、乗りかご１の天井部に設置されている。また、モニタ９は乗りかご１の側面６の上方に設置されている。
【００４６】
乗客２はモニタ９の図１６に示されるようなモニタ映像を見ることにより、乗りかご１内部の各乗客案内領域５ａ、５ｂ、５ｃ、５ｄにおける他の乗客２の人数や位置に係わる状態を認識することができ、乗客２は乗りかご１内に多数の乗客２が乗り込んでいても周囲を見渡すことなく円滑に出入口１０に移動することができる。
【００４７】
また、乗客案内領域５ａ、５ｂ、５ｃ、５ｄのすべてを、乗客２が乗りかご１から降りるべき階に基づいて定める必要はなく、乗客案内領域５ａ、５ｂ、５ｃ、５ｄのうちの一部の領域を車椅子に乗った障害者が案内される領域としてもよい。
このことによって、乗りかご１内に多数の乗客２が乗った場合であっても、車椅子に乗った障害者が他の乗客２から押される等のトラブルを防止することができる。
【００４８】
また、乗りかご１の側面６または乗りかご１外部の乗客２が乗りかご１の到着を待つエレベータ待機スペースに、図１７に示すような本発明に係わる乗客案内システムを説明するための案内板１３を設けてもよい。
ここで、図１７は、案内板１３の表示内容を示す説明図である。
このことによって、乗客２は、本発明に係わる乗客案内システムを容易に理解することができ、より一層円滑に乗客２がエレベータの乗りかご１から降りることができる。
【図面の簡単な説明】
【００４９】
【図１】本発明の実施の形態のエレベータの乗りかごが主として昇り専用となる場合のこの乗りかごの構成を上方から見た説明図
【図２】本発明の実施の形態のエレベータの乗りかごが主として下り専用となる場合のこの乗りかごの構成を上方から見た説明図
【図３】表示手段が乗りかご１の側面に設けられたエレベータの乗りかごの構成を示す斜視図
【図４】（ａ）は、乗りかごの床面に設置され表示が変更自在である表示手段を有し、表示が変更前の状態であるエレベータの乗りかごの構成を上方から見た説明図、（ｂ）は、表示が変更後の状態であるエレベータの乗りかごの構成を上方から見た説明図
【図５】（ａ）は、乗りかごの側面に設置され表示が変更自在である表示手段を有し、表示が変更前の状態であるエレベータの乗りかごの構成を側方から見た説明図、（ｂ）は、表示が変更後の状態であるエレベータの乗りかごの構成を側方から見た説明図
【図６】床面に設置されインジケータからなる表示手段を有する乗りかごの構成を上方から見た説明図
【図７】（ａ）は、表示が変更前の状態である図６の乗りかごの構成を上方から見た説明図、（ｂ）は、表示が変更後の状態である図６の乗りかごの構成を上方から見た説明図
【図８】側面に設置されインジケータからなる表示手段を有する乗りかごの構成を側方から見た説明図
【図９】（ａ）は、表示が変更前の状態である図８の乗りかごの構成を側方から見た説明図、（ｂ）は、表示が変更後の状態である図８の乗りかごの構成を側方から見た説明図
【図１０】床面に設置され発光装置からなる表示手段を有する乗りかごの構成を上方から見た説明図
【図１１】図１０のＸ−Ｘ矢視図
【図１２】側面に設置され発光装置からなる表示手段を有する乗りかごの構成を側方から見た説明図
【図１３】図１２のＹ−Ｙ矢視図
【図１４】（ａ）は、操作盤が設置されたエレベータの乗りかごの構成を上方から見た説明図、（ｂ）は、図１４（ａ）の操作盤の詳細を示す正面図
【図１５】乗りかご内部撮影装置およびモニタが設けられたエレベータの乗りかごの側断面図
【図１６】図１５のモニタに映されるモニタ映像を示す説明図
【図１７】案内板の表示内容を示す説明図
【図１８】従来のエレベータの乗りかごの構成を上方から見た説明図
【符号の説明】
【００５０】
１    乗りかご
２    乗客
３    床面
４    表示手段
４ａ  表示
５ａ  出入口付近の左方の乗客案内領域
５ｂ  出入口付近の右方の乗客案内領域
５ｃ  奥側の左方の乗客案内領域
５ｄ  奥側の右方の乗客案内領域
６    側面
７    操作盤
７ａ  押しボタン
８    乗りかご内部撮影装置
９    モニタ
１０  出入口
１１  インジケータ
１２  発光装置
１２ａ  発光源
１２ｂ  透過性部材
１３  案内板
【図１】
2005272127.tif 000003
【図２】
2005272127.tif 000004
【図３】
2005272127.tif 000005
【図４】
2005272127.tif 000006
【図５】
2005272127.tif 000007
【図６】
2005272127.tif 000008
【図７】
2005272127.tif 000009
【図８】
2005272127.tif 000010
【図９】
2005272127.tif 000011
【図１０】
2005272127.tif 000012
【図１１】
2005272127.tif 000013
【図１２】
2005272127.tif 000014
【図１３】
2005272127.tif 000015
【図１４】
2005272127.tif 000016
【図１５】
2005272127.tif 000017
【図１６】
2005272127.tif 000018
【図１７】
2005272127.tif 000019
【図１８】
2005272127.tif 000020